(57)【要約】【課題】  蒸気発生用の湯水を清浄な状態で循環使用しつつ十分な量の蒸気を効率的に発生させ得ると共に、浴室の天井部分等に好適に設置可能な蒸気発生装置を提供する。【解決手段】  拡散手段から湯水が拡散されることにより蒸気を発生させ得る熱交換器と、該熱交換器に拡散された湯水をタンク内に回収すると共に前記拡散手段に供給する湯水循環手段と、タンク内の湯水を排水する排水手段と、を備えた蒸気発生装置であって、熱交換器の運転開始前に、湯水循環手段のタンク内に水を供給すると共に排水手段を作動させてタンク内の残水を排水することを特徴とする。前記タンクは、熱交換器から流下する湯水を回収する樋部と、該樋部に連設され拡散手段に湯水を供給する循環ポンプ及び排水ポンプが配置された貯留部を有する。【選択図】  図７
2006275365.tif 000002
【特許請求の範囲】
【請求項１】
拡散手段から湯水が拡散されることにより蒸気を発生させ得る熱交換器と、該熱交換器に拡散された湯水をタンク内に回収すると共に前記拡散手段に供給する湯水循環手段と、前記タンク内の湯水を排水する排水手段と、を備えた蒸気発生装置であって、
前記熱交換器による蒸気発生前に、前記湯水循環手段のタンク内に水を供給すると共に前記排水手段を作動させてタンク内の残水を排水することを特徴とする蒸気発生装置。
【請求項２】
前記タンク内への水の供給と同時もしくは所定時間後に前記排水手段を作動させると共に、排水完了後に再びタンク内に水を供給して前記拡散手段に湯水を供給することを特徴とする請求項１に記載の蒸気発生装置。
【請求項３】
前記タンクは、熱交換器から流下する湯水を回収する樋部と、該樋部に連設され前記拡散手段に湯水を供給する循環ポンプが配置された貯留部とを有し、該貯留部の底面側の最深部に前記排水手段が配置されていることを特徴とする請求項１または２に記載の蒸気発生装置。
【請求項４】
前記熱交換器による蒸気発生前で前記タンクへの水の供給前に、タンクの底面部に配置した加熱手段により残水を加熱することを特徴とする請求項１ないし３のいずれかに記載の蒸気発生装置。
【発明の詳細な説明】
【技術分野】
【０００１】
本発明は、浴室の天井部分等に設置されて浴室内に蒸気を発生させる蒸気発生装置に関する。
【背景技術】
【０００２】
従来、浴室の天井に設置される蒸気発生装置としては、例えば特許文献１に開示されている。この特許文献１に開示のミスト装置（蒸気発生装置）は、横長の装置本体部内に熱交換器を斜めの状態で配置し、この熱交換器の一次側に吸込口を設けると共に二次側に循環ファンを設け、熱交換器で高温とされた温風を循環ファンの作動により浴室内に噴出させる。また、装置本体部の開口を閉塞するグリルの吸込口の近傍外側に、温水供給管と複数の噴射ノズルとで構成したミスト噴出手段を配置し、このミスト噴出手段から浴室内にミスト（蒸気）を直接噴出させるようにしたものである。
【特許文献１】特開２００２−３３６３２７号公報
【発明の開示】
【発明が解決しようとする課題】
【０００３】
しかしながら、このような蒸気発生装置においては、装置本体部内に配置された熱交換器が蒸気を発生させるものではないことから、給湯機から温水供給管に供給される温水をミストとして噴出ノズルから噴出するミスト噴出手段を、装置本体部の開口端部に浴室内に突出する状態で設ける必要があり、十分な量の蒸気を浴室内に短時間に発生させることが難しく、蒸気の発生効率の面で劣ると共に、浴室天井の意匠面でも好ましくない。
【０００４】
本発明は、このような事情に鑑みてなされたもので、その目的は、蒸気発生用の湯水を清浄な状態で循環使用しつつ十分な量の蒸気を効率的に発生させ得ると共に、浴室の天井部分等に好適に設置可能な蒸気発生装置を提供することにある。
【課題を解決するための手段】
【０００５】
かかる目的を達成すべく、本発明のうち請求項１に記載の発明は、拡散手段から湯水が拡散されることにより蒸気を発生させ得る熱交換器と、該熱交換器に拡散された湯水をタンク内に回収すると共に前記拡散手段に供給する湯水循環手段と、前記タンク内の湯水を排水する排水手段と、を備えた蒸気発生装置であって、前記熱交換器による蒸気発生前に、前記湯水循環手段のタンク内に水を供給すると共に前記排水手段を作動させてタンク内の残水を排水することを特徴とする。
【０００６】
また、請求項２に記載の発明は、前記タンク内への水の供給と同時もしくは所定時間後に前記排水手段を作動させると共に、排水完了後に再びタンク内に水を供給して前記拡散手段に湯水を供給することが好ましい。また、前記タンクは、請求項３に記載の発明のように、熱交換器から流下する湯水を回収する樋部と、該樋部に連設され前記拡散手段に湯水を供給する循環ポンプが配置された貯留部とを有し、該貯留部の底面側の最深部に前記排水手段が配置されていることが好ましい。さらに、請求項４に記載の発明のように、前記熱交換器による蒸気発生前でタンクへの水の供給前に、タンクの底面部に配置した加熱手段により残水を加熱することが好ましい。
【発明の効果】
【０００７】
本発明の請求項１に記載の発明によれば、熱交換器による蒸気発生前に、湯水循環手段のタンク内に水を供給すると共に排水手段でタンク内の残水を排水するため、前回の運転終了時のタンク内の残水を希釈しつつ排水できて、例えば細菌等を含んだ湯水を運転前に外部に確実に排水でき、蒸気発生用の湯水を清浄に維持した状態で拡散方式の熱交換器により十分な量の蒸気を効率的に発生させることができると共に、浴室の天井部分等に好適に設置することが可能となる。
【０００８】
また、請求項２に記載の発明によれば、請求項１に記載の発明の効果に加え、タンク内への水の供給と同時もしくは所定時間後に排水手段を作動させると共に、排水完了後に再びタンク内に水を供給して循環ポンプを作動させる等して拡散手段に湯水を供給するため、タンクへの給水と排水及び拡散手段に湯水を供給する作動を所定の手順により確実に行うことができて、蒸気発生用の湯水を常に清浄に維持することができる。
【０００９】
また、請求項３に記載の発明によれば、請求項１または２に記載の発明の効果に加え、タンクが、熱交換器から流下する湯水を回収する樋部と、該樋部に連設され拡散手段に湯水を供給する循環ポンプが配置された貯留部とを有し、貯留部の底面側の最深部に排水手段が配置されているため、タンクの貯留部の残水を最深部に集めてその量を少なくした状態で排水手段により確実に排水できて、タンクの残水量自体を少なくすることができると共に、供給される水によりこの残水を希釈して確実に排水できて、蒸気発生用の湯水を一層清浄に維持することができる。
【００１０】
さらに、請求項４に記載の発明によれば、請求項１ないし３に記載の発明の効果に加え、熱交換器による蒸気発生前でタンクへの水の供給前に、タンクの底面に配置した加熱手段により残水を加熱するため、加熱手段で殺菌した残水をタンクに供給される清浄な水で希釈しつつ排水できて、タンク内をより清浄に維持して、蒸気発生に使用する湯水のより一層の清浄化を図ることができる。
【発明を実施するための最良の形態】
【００１１】
以下、本発明の実施の形態を図面に基づいて詳細に説明する。
図１〜図７は、本発明に係わる蒸気発生装置の一実施形態を示し、図１がその基本構成図、図２が浴室への設置状態を示す概略斜視図、図３が蒸気発生装置の具体的構成を示す概略平面図、図４が図３のＡ−Ａ線矢視図、図５がバッファタンクの縦断面図、図６がその平面図、図７が蒸気発生装置の動作の一例を示すタイミングチャートである。
【００１２】
図１に示すように、本発明に係わる蒸気発生装置１は、多数枚のフィン４ａが温水供給管４ｂで連結された第１の熱交換器４と、多数枚のフィン５ａが温水供給管５ｂで連結された第２の熱交換器５と、第１の熱交換器４や第２の熱交換器５により発生した蒸気や温風をグリル板３（図４参照）の吹出口３ｂから浴室内に吹き出す送風ファン６と、第１の熱交換器４上に拡散された湯水を回収して再び第１の熱交換器４に拡散させる湯水循環手段７と、換気ファン８等を備えている。
【００１３】
前記湯水循環手段７は、第１の熱交換器４のフィン４ａ上に所定温度の湯水を拡散（放散、吐出、噴出、噴射、吹付け、噴霧等も含む）させる拡散手段としての拡散パイプ９と、この拡散パイプ９で拡散された湯水を回収するタンクとしてのバッファタンク１０と、このバッファタンク１０内の湯水を汲み上げて配管１２を介して拡散パイプ９に供給する循環ポンプ１１等で構成されている。
【００１４】
この時、バッファタンク１０は、第１の熱交換器４から流下する湯水を回収する浅底樋形状の樋部１０ａと、この樋部１０ａに連接状態で設けられた深底の貯留部１０ｂとで構成され、貯留部１０ｂ内に、前記循環ポンプ１１が配置されると共に排水配管１４が接続された排水ポンプ１３が配置されている。また、バッファタンク１０の所定位置には、給水電磁弁１６が接続された給水配管１５が接続されている。
【００１５】
さらに、前記第１の熱交換器４の温水供給管４ｂと第２の熱交換器５の温水供給管５ｂには、給湯往き配管１７ａと給湯戻り配管１７ｂがそれぞれ接続され、給湯往き配管１７ａには給湯電磁弁１８が接続されている。この給湯往き配管１７ａと給湯戻り配管１７ｂは、循環機能付きの灯油ボイラーやガス給湯機等の給湯機１９に接続され、前記給水配管１５は、水道や給湯機１９内の水道配管等に接続されている。
【００１６】
前記送風ファン６は、例えばシロッコファン、クロスフローファン等によって形成され、そのファンモータ６ａの回転により、グリル板３の吸気口３ａと吹出口３ｂとの間に通風路２０を形成するように構成されている。また、前記換気ファン８は、ファンケース８ｃ内に配置された例えばシロッコファン等によって形成され、そのファンモータ８ａの回転により、吸気口３ａと換気ファン８の吐出口８ｂとの間に、筐体２に設けた連結口２３を介して換気通路２１を形成するように構成されている。なお、グリル板３の吹出口３ｂには、ルーバー２２がルーバーモータ２２ａの回転により開閉可能に配設されている。
【００１７】
そして、これらの各部品が扁平薄型の筐体２内に配置されることで、蒸気発生装置１自体が扁平薄型形状に形成されると共に、筐体２内には無線式や有線式のリモコン２５が接続された制御装置２４が配置されている。なお、制御装置２４には、その出力側に循環ポンプ１１、排水ポンプ１３、各種電磁弁１６、１８及び各種モータ６ａ、８ａ、２２ａ等が接続されると共に、その入力側に図示しない各種センサ及び前記リモコン２５が接続されている。そして、この制御装置２４の制御信号によって、蒸気発生装置１が、例えば「ミスト暖房」「ドライ暖房」「乾燥」「換気」の４つの運転モードで運転可能に構成されている。
【００１８】
このように構成された蒸気発生装置１は、浴室の天井部分に図２に示すようにして設置される。すなわち、扁平薄型の筐体２を、浴室天井を形成するバスタブ２７上方の天井パネル２８に、例えば浴室２６上方の図示しない建築躯体に複数本の吊りボルトにより吊り下げ設置し、この状態で、前記給湯往き配管１７ａと給湯戻り配管１７ｂ及び給水配管１５を、天井パネル２８の上面（天井裏）に配置すると共に、排水配管１４を天井パネル２８の上面から浴室２６の壁パネル２９の外面を通して、その下端の排水口をバスタブエプロン内の防水パン上に位置させる。また、筐体２から引き出される各種ケーブル３０を天井パネル２８の上面側に配線すると共に、換気ファン８の吐出口８ｂに接続された換気ダクト３１を天井パネル２８の上面側に配置し、これにより、蒸気発生装置１が浴室２６の天井パネル２８に設置されることになる。
【００１９】
図３〜図６は、前記蒸気発生装置１の具体的な構造を示している。以下、図１及び図２と同一部位には同一符号を付して説明する。蒸気発生装置１は、図３及び図４に示すように、前述した筐体２を有し、この筐体２の下面開口部２ａには、前記吸気口３ａと吹出口３ｂが設けられたグリル板３が着脱可能に装着されている。また、筐体２内には、所定形状の隔壁２ｂによってグリル板３の吸気口３ａから吹出口３ｂに連通する前記通風路２０が形成され、図４に示すように、この通風路２０の吸気口３ａ側（上流側）に第１の熱交換器４が左下がりの傾斜状態で配置され、この第１の熱交換器４の左側方に、互いの下端部が隣接する状態で第２の熱交換器５が左上がりの傾斜状態で配置されることにより、筐体２の通風路２０内に第１の熱交換器４と第２の熱交換器５が側面視でＶ字形状を呈して配置されている。
【００２０】
なお、通風路２０の吹出口３ｂ側（下流側）には、第２の熱交換器５に所定の間隙を有して該熱交換器５の下流側に前記送風ファン６が配置され、この送風ファン６が図４の矢印イの如く回転することにより、通風路２０内に矢印ロの如く風が流れるように設定されている。また、前記換気ファン８は、図３に示すように、そのファンケース８ｃが筐体２の側方に突出する状態で配置され、筐体２の側壁に設けた連結口２３に配置されたダンパー２３ａ（図１参照）を介して筐体２内に連通されている。そして、ファンモータ８ａが回転することにより、前記グリル板３の吸気口３ａから吸い込まれた浴室２６内の空気が、筐体２内の換気通路（図示せず）、連結口２３、換気ファン８及び吐出口８ｂを介して換気ダクト３１に排出されて前記換気通路２１が形成されるようになっている。
【００２１】
また、筐体２内の第１の熱交換器４と第２の熱交換器５の下部には、前記バッファタンク１０が配置されている。このバッファタンク１０は、図５及び図６に示すように、前述した樋部１０ａの底面が傾斜面で形成されると共に、平面視で略長方形状に形成されその上面開口部が蓋体１０ｄで覆われた貯留部１０ｂの底面も、その長手方向の略中心部分が最深部１０ｃとなるような２つの傾斜面で形成されている。そして、貯留部１０ｂの最深部１０ｃに排水ポンプ１３が配置されると共に、この排水ポンプ１３の側方に循環ポンプ１１が配置され、また、貯留部１０ｂの傾斜面の上端部側に給水電磁弁１６が接続された給水配管１５の給水口１５ａが配置されている。なお、排水ポンプ１３は、下面側に設けた吸引口１３ａが最深部１０ｃの底面に対し、吸い込みに悪影響しない範囲の寸法を有して例えば図示しない取付板により貯留部１０ｂの側壁や底面等に取り付けられている。
【００２２】
このバッファタンク１０内に配置される循環ポンプ１１と排水ポンプ１３及びバッファタンク１０に接続されている給水配管１５の給水電磁弁１６は、前記制御装置２４によって図７に示すように動作する。すなわち、前記リモコン２５に設けられた図示しないミスト暖房運転用の運転スイッチ（運転ＳＷ）がＯＮすると、所定時間後に先ず給水電磁弁１６が所定時間ＯＮ（開）して、給水配管１５の給水口１５ａから貯留部１０ｂの傾斜した底面に向けて水（水道水）が図５の矢印ハの如く供給（吐出）される。
【００２３】
この水の供給により、バッファタンク１０の貯留部１０ｂ内に所定量の水が貯留されて、前回の運転時に貯留部１０ｂの底面で排水ポンプ１３によって吸い込みが不可能であった残水Ｗ（図５参照）が希釈された状態となる。なお、この時の水の供給量は、貯留部１０ｂ内の残水Ｗを十分に希釈できる量に設定されている。また、給水口１５ａから供給される水が、貯留部１０ｂの底面の傾斜角度の大きい傾斜面に向けて吐出されることから、水が残水Ｗに勢いよく混合して良好な希釈状態が得られることになる。
【００２４】
給水電磁弁１６が所定時間ＯＮしてＯＦＦ（閉）になると、このＯＦＦと同時に排水ポンプ１３がＯＮ（作動）して、その吸込口１３ａからバッファタンク１０の貯留部１０ｂ内に供給された水が吸い込まれて排水配管１４を介し浴室２６のバスタブエプロン内側の防水パン上に排水される。この排水は、貯留部１０ｂ内の残水Ｗが給水配管１５から供給された水で希釈された状態となっており、例えば前回の運転終了後に貯留部１０ｂの残水Ｗ内で細菌等が繁殖していたとしても、これが給水配管１５で供給された水と一緒になって外部に排水され、これにより、蒸気発生装置１のミスト暖房運転前（第１の熱交換器４による蒸気発生前）にバッファタンク１０内が清浄化されることになる。
【００２５】
排水ポンプ１３が所定時間ＯＮして水により希釈された残水Ｗが全て外部に排水されると、給水電磁弁１６が再び所定時間ＯＮして、今回のミスト暖房運転で使用される水がバッファタンク１０内に供給される。そして、循環ポンプ１１がＯＮ（作動）することにより、バッファタンク１０内の水が湯水循環手段７内を循環して、運転スイッチのＯＮと同時に給湯機１９から温水供給管４ａに温水が循環供給されている第１の熱交換器４によって水が所定温度の湯となり、これが拡散パイプ９から第１の熱交換器４のフィン４ａ上に拡散されることで蒸気（ミスト）が発生する。そして、この蒸気が送風ファン６の作動により、通風路２０を流れてグリル板３の吹出口３ｂから浴室２６内に吹き出され、浴室２６内がミスト暖房状態となる。
【００２６】
なお、給水電磁弁１６は、蒸気の発生によりバッファタンク１０内の湯水が所定水位以下となった場合に、所定時間ＯＮしてバッファタンク１０内に水を補給するようになっている。また、運転スイッチがＯＦＦした場合は、所定時間後に排水ポンプ１３がＯＮしてバッファタンク１０の貯留部１０ｂ内に残っている湯水が外部に排水されるようになっている。つまり、ミスト暖房状態で入浴しようとする場合に運転スイッチをＯＮすると、給水電磁弁１６が所定時間ＯＮして所定量の水道水等の清浄な水がバッファタンク１０の貯留部１０ｂ内に供給されて、前回の運転により貯留部１０ｂに残っている残水Ｗが希釈され、これが排水ポンプ１３のＯＮで外部に排水、つまり貯留部１０ｂ内を清浄な水ですすぐことができ、バッファタンク１０内を清浄な状態にして今回のミスト暖房運転を行うことが可能となる。
【００２７】
なお、図７に示すタイミングチャートは、ミスト暖房運転前に、バッファタンク１０に所定量の水を１回だけ供給しこれを排水することで、貯留部１０ｂの残水Ｗを外部に排水したが、本発明はこれに限定されず、例えば図８に示すタイミングチャートを使用することもできる。すなわち、給水電磁弁１６がＯＮしている間に排水ポンプ１３をＯＮさせて給水と排水を同時に行うと共に、排水ポンプ１３がＯＮしている間に給水電磁弁１６を複数回（図では２回）ＯＮさせるようにしたものである。これにより、ミスト暖房運転前に、貯留部１０ｂ内に供給される水により垂れ流し状態で残水Ｗを希釈できると共に、給水電磁弁１６を複数回ＯＮさせることにより、貯留部１０ｂ内に供給される水と残水Ｗの希釈（混合）状態を複数選択することができて、より良好な希釈状態が得られることになる。
【００２８】
このように、給水電磁弁１６及び排水ポンプ１３等の作動は、ミスト暖房運転前にバッファタンク１０の貯留部１０ｂ内の残水Ｗを希釈して排水できる適宜のタイミングで動作させれば良く、例えば給水電磁弁１６と排水ポンプ１３のＯＮ・ＯＦＦをミスト暖房運転前に複数回繰り返すタイミングチャートとしたり、あるいは給水後に所定のタイミングで循環ポンプ１１を作動させて清浄な水等を湯水循環手段７内を循環させて該手段７内を清浄化する等、適宜のタイミングチャートを使用することができる。
【００２９】
以上、詳述したように、上記実施形態の蒸気発生装置１にあっては、ミスト暖房運転前である第１の熱熱交換器４による蒸気発生前に、バッファタンク１０の貯留部１０ｂ内に水道水を供給して該貯留部１０ｂ内の残水Ｗを希釈して排水するため、前回のミスト暖房運転終了後に貯留部１０ｂ内に残っていた残水Ｗを排水できて、例えば貯留部１０ｂ内への貯留で発生する虞のある細菌等を含んだ残水Ｗをミスト暖房運転前に外部に確実に排水することができる。その結果、バッファタンク１０の貯留部１０ｂ内を浄化して蒸気発生に使用する湯水を清浄に維持した状態で拡散パイプ９から第１の熱交換器４上に拡散できて、浴室２６内に清潔で十分な量の蒸気を効率的に発生させることが可能となる。
【００３０】
また、バッファタンク１０が、第１の熱交換器４から流下する湯水を回収する樋部１０ａと、該樋部１０ａに連設され循環ポンプ１１が配置された貯留部１０ｂを有し、貯留部１０ｂの最深部１０ｃに排水ポンプ１３が配置されているため、バッファタンク１０の貯留部１０ｂの残水Ｗを排水ポンプ１３により確実に汲み上げて排水でき、貯留部１６ｂ内の残水Ｗの量自体を少なくすることができる。また、制御装置２４の制御により、給水電磁弁１６と排水ポンプ１３あるいは循環ポンプ１１が所定の手順で作動するため、例えば残水Ｗの良好な希釈（すすぎ）状態が得られたり垂れ流し状態で残水Ｗを排水できる。これらにより、蒸気発生に使用される湯水を常に清浄に維持することができたり、従来の蒸気発生装置のように蒸気内に滴下し易い水滴が含まれること等も抑制されて、浴室２６内に快適なミスト暖房状態を簡単に得ることが可能となる。
【００３１】
さらに、筐体２内に温水供給管５ａを有して温風を発生させる第２の熱交換器５が、蒸気発生用の第１の熱交換器４と共に側面視で略Ｖ字形状を呈して通風路２０内に配置されているため、両熱交換器４、５を筐体２内に効率的に配置して筐体２の小型化を図ることができると共に、両熱交換器４、５の使用により蒸気や温風を効率的に発生させることができる。また、第１の熱交換器４と第２の熱交換器５の隣接する下端部の下方にバッファタンク１０の樋部１０ａが配置され、この樋部１０ａの端部で両熱交換器４、５の長手方向の一側方に貯留部１０ｂが配置されているため、所定量の湯水を貯留し得るバッファタンク１０を筐体２内に効率的に配置して、蒸気発生装置１の外形形状の一層のコンパクト化を図ることができる。
【００３２】
また、バッファタンク１０内の湯水（残水Ｗ）の排水手段として汲み上げ式の排水ポンプ１３を使用しているため、筐体２の高さ寸法をできるだけ低くすることができて、筐体２のより小型化が図れると共に、排水ポンプ１３の使用により、バッファタンク１０の貯留部１０ｂの底面に排水口を設ける必要がなくなり、バッファタンク１０からの水漏れを確実に防止することができる。これらにより、蒸気発生装置１を設置スペースの少ない浴室天井にコンパクトかつ安価に設置することができて、システムバスルーム等の蒸気発生装置１として好適に使用することが可能となる。
【００３３】
ところで、上記実施形態においては、バッファタンク１０の貯留部１０ｂ内の残水Ｗを給水により希釈して排水することで貯留部１０ｂ内から除去（排水）したが、本発明は、例えば貯留部１０ｂに設けた加熱装置（加熱手段）により残水Ｗ内の細菌を殺菌させる方法を併用することもできる。すなわち、例えば図５に二点鎖線で示すように、貯留部１０ｂの最深部１０ｃの外面（もしくは内面）に、ヒータ、温水供給管等の加熱装置３２を取り付ける。
【００３４】
そして、ミスト暖房運転前に、制御装置２４の制御信号で加熱装置３２を所定時間作動させて最深部１０ｃを加熱することにより、残水Ｗの温度を例えば６０℃以上に上昇させる。この残水Ｗの温度上昇により、残水Ｗ内の細菌が殺菌された状態となり、この細菌が死滅した状態の残水Ｗを供給される水で希釈した状態で外部に排水することができる。このように構成すれば、給水によるすすぎ作用と殺菌作用の併用で、バッファタンク１０の貯留部１０ｂ内の残水Ｗ内の細菌除去等がより一層確実に行えることになる。
【００３５】
また、上記実施形態においては、バッファタンク１０内の湯水の排水手段として排水ポンプ１３を使用したが、本発明はこれに限定されず、例えば排水手段として排水電磁弁を使用することもできる。この排水電磁弁を使用する場合は、図１の二点鎖線で示すように、貯留部１０ｂの最深部１０ｃに排水口を設け、この排水口に排水電磁弁３３が設けられた排水配管１４を接続する。そして、この排水電磁弁３３を前述した排水ポンプ１３と同様のタイミングでミスト暖房運転前に作動させることにより、貯留部１０ｂや排水配管１４内に残留している残水Ｗが希釈等されて外部に排水されることになり、ミスト暖房運転時に湯水循環手段７内の湯水を清浄に維持できることになる。
【００３６】
なお、上記実施形態においては、第１の熱交換器４と第２の熱交換器５を、フィン４ａ、５ａと加熱手段としての温水供給管４ｂ、５ｂを有する同一形態の熱交換器で構成したが、本発明はこれに限定されず、例えば各熱交換器４、５を異なる形態で構成して良いし、両熱交換器４、５の加熱手段も温水供給管４ｂ、５ｂに限らず、他の適宜の加熱手段を採用することができる。また、両熱交換器４、５の筐体２内への配置形態も完全Ｖ字形状の配置に限らず、例えば第２の熱交換器５を通風路２０を横切るように略水平状態に配置する等、適宜の配置形態を採用できる。
【００３７】
さらに、上記実施形態においては、蒸気発生装置１を浴室２６の天井パネル２８に設置したが、例えば壁パネル２９の上端部と天井パネル２８のコーナ部等の天井部分に設置することもできる。またさらに、上記実施形態における、バッファタンク１０の全体あるいは樋部１０ａや貯留部１０ｂ自体の形状も一例であって、例えば平面視で長方形状のバッファタンク１０を使用したり、バッファタンク１０の下部外側を覆うように防水パンを付設した構成を採用する等、筐体２内の空間形状等に応じて適宜形状のバッファタンク１０を使用することができる。
【産業上の利用可能性】
【００３８】
本発明は、システムバスルーム等の浴室に限らず、例えばサウナルームやシャワールーム等の蒸気発生装置にも適用できる。
【図面の簡単な説明】
【００３９】
【図１】本発明に係わる蒸気発生装置の一実施形態を示す基本構成図
【図２】同その浴室への設置状態を示す概略斜視図
【図３】同蒸気発生装置の具体的構造を示す概略平面図
【図４】同図３のＡ−Ａ線矢視図
【図５】同バッファタンクの断面図
【図６】同その平面図
【図７】同動作の一例を示すタイミングチャート
【図８】同動作の他の例を示すタイミングチャート
【符号の説明】
【００４０】
１・・・蒸気発生装置、２・・・筐体、３・・・グリル板、３ａ・・・吸気口、３ｂ・・・吹出口、４・・・第１の熱交換器、４ａ・・・フィン、４ｂ・・・温水供給管、５・・・第２の熱交換器、５ａ・・・フィン、５ｂ・・・温水供給管、６・・・送風ファン、７・・・湯水循環手段、９・・・拡散パイプ、１０・・・バッファタンク、１０ａ・・・樋部、１０ｂ・・・貯留部、１０ｃ・・・最深部、１０ｄ・・・蓋体、１１・・・循環ポンプ、１３・・・排水ポンプ、１３ａ・・・吸込口、１４・・・排水配管、１５・・・給水配管、１５ａ・・・給水口、１６・・・給水電磁弁、２４・・・制御装置、３２・・・加熱装置、３３・・・排水電磁弁、Ｗ・・・残水。
【図１】
2006275365.tif 000003
【図２】
2006275365.tif 000004
【図３】
2006275365.tif 000005
【図４】
2006275365.tif 000006
【図５】
2006275365.tif 000007
【図６】
2006275365.tif 000008
【図７】
2006275365.tif 000009
【図８】
2006275365.tif 000010